(57)【特許請求の範囲】
【請求項１】
第１収納部材と第２収納部材に分離可能であり、前記第１収納部材と前記第２収納部材の接続により形成される境界部にラベルが貼り付けられる収納容器であって、
前記ラベルは、前記境界部を跨いで前記第１及び第２収納部材に貼り付けられる第１シール部材と、前記第１シール部材の表面に剥離可能に貼り付けられる第２シール部材とを含み、
前記第２シール部材は、前記第１シール部材に対し未貼付状態で、前記境界部に沿って延在する剥離部と、前記剥離部に連なり前記第１シール部材に貼り付けられる貼付部とを有し、
前記第２シール部材の前記剥離部が前記第１シール部材から剥がされた場合に、前記第１シール部材の少なくとも一部が露出することにより、前記ラベルが前記第２シール部材の剥離前の状態に対して識別可能な程度に異なる外観を呈する
ことを特徴とする収納容器。
【請求項２】
請求項１記載の収納容器において、
前記第２シール部材の剥離部分に重なる前記第１シール部材の表面には、前記第１収納部材と前記第２収納部材が分離されたことを表示又は暗示する識別部が設けられる
ことを特徴とする収納容器。
【請求項３】
請求項２記載の収納容器において、
前記識別部は、前記第２シール部材の表面を構成する背景色とは異なる背景色からなり、且つ前記第１収納部材と前記第２収納部材が分離されたことを表示又は暗示する文字が前記識別部の背景色と異なる色で記載されている
ことを特徴とする収納容器。
【請求項４】
請求項１〜３のいずれか１項に記載の収納容器において、
前記第１シール部材における前記境界部の近傍位置には、前記境界部の延在方向に対し傾斜して切り込まれた複数の切り込みにより構成される第１シール部材側ミシン目が設けられる
ことを特徴とする収納容器。
【請求項５】
請求項１〜４のいずれか１項に記載の収納容器において、
前記剥離部と前記貼付部の境界部分には、前記境界部の延在方向に沿って直線的に切り込まれた複数の切り込みにより構成される第２シール部材側ミシン目が設けられる
ことを特徴とする収納容器。
【請求項６】
請求項５記載の収納容器において、
前記第２シール部材は、２つの前記貼付部が前記剥離部を間に挟んだ状態で延在するように前記第１及び第２収納部材の周方向に沿って貼り付けられ、
前記剥離部と２つの前記貼付部によって構成される２つの境界部分には、前記第２シール部材側ミシン目と、前記第２シール部材側ミシン目に沿って直線状の前記切り込みよりも長く切り込まれる切れ目とが並設されており、
さらに、前記２つの境界部分に形成される各切れ目は、互いに前記第２シール部材の異なる側辺に寄るように延在している
ことを特徴とする収納容器。
【請求項７】
請求項１〜６のいずれか１項に記載の収納容器において、
当該収納容器は、前記第１収納部材と前記第２収納部材の分離状態で内部空間が露呈し、前記内部空間に医療機器が収納可能である
ことを特徴とする収納容器。
【請求項８】
第１収納部材と第２収納部材に分離可能であり、前記第１収納部材と前記第２収納部材の接続により形成される境界部にラベルが貼り付けられる収納容器の使用方法であって、
前記ラベルは、前記境界部を跨いで前記第１及び第２収納部材に貼り付けられる第１シール部材と、前記第１シール部材に剥離可能に貼り付けられる第２シール部材と、を含み、
前記第１シール部材における前記境界部の近傍位置には、前記境界部の延在方向に対し傾斜して切り込まれた複数の切り込みにより構成される第１シール部材側ミシン目が設けられ、
前記第２シール部材の少なくとも一部を前記第１シール部材から剥がし、前記第１シール部材の少なくとも一部が露出することにより、前記ラベルが前記第２シール部材の剥離前の状態に対して識別可能な程度に異なる外観を呈する剥離ステップと、
前記剥離ステップの後、前記第１シール部材の貼付状態のまま前記第１収納部材と前記第２収納部材を分離する分離ステップと、
前記分離ステップの後、前記第１収納部材と前記第２収納部材を再接続する接続ステップと、を有し、
前記分離ステップでは、前記第１収納部材と前記第２収納部材を相対的に回転させることで、前記境界部の近傍位置に形成されている第１シール部材側ミシン目を破断させる
ことを特徴とする収納容器の使用方法。
【発明の詳細な説明】
【技術分野】
【０００１】
本発明は、例えば、医療機器を収納する収納容器、及びこの収納容器の使用方法に関する。
【背景技術】
【０００２】
生体に挿入される針やコネクタ等の医療機器は、使用前までは無菌性を維持するために収納容器に収納されている。収納容器は、例えば、容器本体（第１収納部材）とキャップ（第２収納部材）からなり、これらの部材の分離により医療機器の取出しが可能となる。第１収納部材と第２収納部材の接続部分には、収納される医療機器の識別や、第１及び第２収納部材の接続性を高めるために、ラベルが貼り付けられる（例えば、特許文献１及び２参照）。このような収納容器では、第１及び第２収納部材を一度分離（開封）すると無菌性がなくなるため、医療機器の使用前に、収納容器の開封状態の確認が行われる。従来、この開封状態の判別は、ラベルの状態を確認することによってなされている。
【０００３】
例えば、特許文献１に開示されている収納容器は、針キャップ（第１収納部材）と針基（第２収納部材）の接続部分にラベルが貼り付けられる。このラベルは糊の非着部を有し、針キャップと針基の分離にともない非着部が破断されるように構成される。この構成では、針キャップと針基を再接続すると破断箇所（非着部）が残るため、破断箇所を視認することにより容器の開封状態が判別される。
【０００４】
また、特許文献２に開示されているラベルには、不規則な振幅からなるミシン目が複数並設されており、ラベルの分離時にミシン目に沿って破断箇所が形成される。この場合、ミシン目の不規則性により破断箇所の被視認性が向上される。
【先行技術文献】
【特許文献】
【０００５】
【特許文献１】特開平８−２７６０１４号公報
【特許文献２】特許第３５６７９４３号公報
【発明の概要】
【発明が解決しようとする課題】
【０００６】
ところで、特許文献１及び２に開示されている収納容器は、分離した第１収納部材と第２収納部材を再接続する際に、非着部やミシン目の破断箇所（すなわち、ラベルの分離部分）を挟み込むことがあり、収納容器の開封状態が判別し難くなることがある。また、非着部やミシン目が綺麗に破断されると、破断箇所を短時間に見ただけでは開封状態を判別することが困難になる。このため、開封状態の確認に手間がかかり、また、開封済のものを誤って使用してしまうという不都合が生じる。
【０００７】
本発明は、上記の実情に鑑みてなされたものであり、簡単な構成によって、収納容器の開封状態の判別が可能となり、これにより収納物の使用状態を短時間且つ確実にユーザに認識させることができ、作業効率の向上を図ることができる収納容器、及びこの収納容器の使用方法を提供することを目的とする。
【課題を解決するための手段】
【０００８】
前記の目的を達成するために、本発明は、第１収納部材と第２収納部材に分離可能であり、前記第１収納部材と前記第２収納部材の接続により形成される境界部にラベルが貼り付けられる収納容器であって、前記ラベルは、前記境界部を跨いで前記第１及び第２収納部材に貼り付けられる第１シール部材と、前記第１シール部材の表面に剥離可能に貼り付けられる第２シール部材とを含み、前記第２シール部材は、前記第１シール部材に対し未貼付状態で、前記境界部に沿って延在する剥離部と、前記剥離部に連なり前記第１シール部材に貼り付けられる貼付部とを有し、前記第２シール部材の前記剥離部が前記第１シール部材から剥がされた場合に、前記第１シール部材の少なくとも一部が露出することにより、前記ラベルが前記第２シール部材の剥離前の状態に対して識別可能な程度に異なる外観を呈することを特徴とする。
【０００９】
上記によれば、ラベルは、第１シール部材と第２シール部材が重なる構成となり、それぞれの表面に異なる情報を記載することができる。すなわち、第２シール部材を剥がした場合に、第２シール部材の剥離前の状態に対して識別可能な程度に異なる外観を呈することで、第１収納部材と第２収納部材を分離させ、その後、第１収納部材と第２収納部材を再接続しても、収納容器の外周面には第１シール部材が露出される。このため、ユーザは、収納容器の開封状態（すなわち、収納物の使用状態）を容易に判別できる。よって、収納容器に医療機器が収納されている場合には、医療機器の使用状態を短時間且つ正確に認識することが可能となり、作業効率の向上を図ることができる。また、剥離部と貼付部を有することで、第１シール部材から第２シール部材を剥がす際に、剥離部のみをスムーズに剥がすことができる。よって、収納容器にとって必要な情報を貼付部に記載することで、剥離部を剥がしても必要な情報を簡単に得ることができる。
【００１０】
この場合、前記第２シール部材の剥離部分に重なる前記第１シール部材の表面には、前記第１収納部材と前記第２収納部材が分離されたことを表示又は暗示する識別部が設けられるとよい。
【００１１】
このように、第１シール部材に識別部が形成されていることで、第２シール部材を剥がした場合に、この識別部が露出する。従って、ユーザは、第１収納部材と第２収納部材が分離されたことを表示又は暗示する識別部を視認することで、収納容器の開封状態を容易に判別することができる。
【００１２】
また、前記第１シール部材における前記境界部の近傍位置には、前記境界部の延在方向に対し傾斜して切り込まれた複数の切り込みにより構成される第１シール部材側ミシン目が設けられることが好ましい。
【００１３】
このように、第１シール部材側ミシン目が設けられていることで、第１及び第２収納部材の分離により、第１シール部材側ミシン目が破断され、その破断箇所は傾斜形状に応じて斜めに切り込まれたジグザグ状に形成される。このため、破断箇所の被視認性がより向上し、例えば、誤って第２シール部材を剥がしてしまった場合でも、破断箇所の有無により収納容器の開封状態を判別することができる。
【００１６】
この場合、前記剥離部と前記貼付部の境界部分には、前記境界部の延在方向に沿って直線的に切り込まれた複数の切り込みにより構成される第２シール部材側ミシン目が設けられるとよい。
【００１７】
このように、第２シール部材に第２シール部材側ミシン目が設けられていることで、第２シール部材側ミシン目に沿って剥離部を容易に剥がすことができる。
【００１８】
また、前記第２シール部材は、２つの前記貼付部が前記剥離部を間に挟んだ状態で延在するように前記第１及び第２収納部材の周方向に沿って貼り付けられ、前記剥離部と２つの前記貼付部によって構成される２つの境界部分には、前記第２シール部材側ミシン目と、前記第２シール部材側ミシン目に沿って直線状の前記切り込みよりも長く切り込まれる切れ目とが並設されており、さらに、前記２つの境界部分に形成される各切れ目は、互いに前記第２シール部材の異なる側辺に寄るように延在しているとよい。
【００１９】
このように、２つの境界部分に形成される各切れ目が互いに第２シール部材の異なる側辺に寄るように延在していることで、第１収納部材と第２収納部材を分離する際に、剥離部の剥離を行わなくても、第１シール部材を露出させることができる。すなわち、第１収納部材と第２収納部材の分離にともない剥離部が２つの貼付部の一方に連なり他方から分離されることになる。この場合、切れ目が寄っている剥離部の端部が第１シール部材から離間自在となるため、剥離部が容易にまくれ、第１シール部材を露出させることができる。
【００２０】
さらに、前記識別部は、前記第２シール部材の表面を構成する背景色とは異なる背景色からなり、且つ前記第１収納部材と前記第２収納部材が分離されたことを表示又は暗示する文字が前記識別部の背景色と異なる色で記載されていることが好ましい。
【００２１】
このように識別部が第２シール部材の表面を構成する背景色と異なる背景色からなることで、ユーザが背景色の相違を確認することで、収納容器の開封状態を簡単に判別することができる。
【００２２】
またさらに、当該収納容器は、前記第１収納部材と前記第２収納部材の分離状態で内部空間が露呈し、前記内部空間に医療機器が収納可能な構成とすることができる。
【００２３】
また、前記の目的を達成するために、本発明は、第１収納部材と第２収納部材に分離可能であり、前記第１収納部材と前記第２収納部材の接続により形成される境界部にラベルが貼り付けられる収納容器の使用方法であって、前記ラベルは、前記境界部を跨いで前記第１及び第２収納部材に貼り付けられる第１シール部材と、前記第１シール部材に剥離可能に貼り付けられる第２シール部材と、を含み、前記第１シール部材における前記境界部の近傍位置には、前記境界部の延在方向に対し傾斜して切り込まれた複数の切り込みにより構成される第１シール部材側ミシン目が設けられ、前記第２シール部材の少なくとも一部を前記第１シール部材から剥がし、前記第１シール部材の少なくとも一部が露出することにより、前記ラベルが前記第２シール部材の剥離前の状態に対して識別可能な程度に異なる外観を呈する剥離ステップと、前記剥離ステップの後、前記第１シール部材の貼付状態のまま前記第１収納部材と前記第２収納部材を分離する分離ステップと、前記分離ステップの後、前記第１収納部材と前記第２収納部材を再接続する接続ステップと、を有し、前記分離ステップでは、前記第１収納部材と前記第２収納部材を相対的に回転させることで、前記境界部の近傍位置に形成されている第１シール部材側ミシン目を破断させることを特徴とする。
【００２４】
上記によれば、分離ステップにより第１シール部材を貼り付けたまま第１収納部材と第２収納部材を分離し、接続ステップにより第１収納部材と第２収納部材を接続することで、接続ステップの後は、第２シール部材の剥離前の状態に対して識別可能な程度に異なる外観を呈する第１シール部材が露出されるため、収納容器の開封状態をユーザに容易に判別させることができる。これにより、収納容器に医療機器が収納されている場合には、医療機器の使用状態を短時間且つ正確に認識することが可能となり、作業効率の向上を図ることができる。また、分離ステップにおいて第１収納部材と第２収納部材を相対的に回転させて、前記第１シール部材側ミシン目を破断させることで、その破断箇所は傾斜形状に応じて斜めに切り込まれたジグザグ状に形成される。このため、破断箇所の被視認性がより向上し、収納容器の開封状態をより容易に判別させることができる。
【発明の効果】
【００２７】
本発明によれば、簡単な構成によって、収納容器の開封状態の判別が可能となり、これにより収納物の使用状態を短時間且つ確実にユーザに認識させることができ、作業効率の向上及び収納物の再使用の防止を図ることができる。
【図面の簡単な説明】
【００２８】
【図１】本発明の実施の形態に係る収納容器の全体構成を示す斜視図である。
【図２】図１の収納容器の分解斜視図である。
【図３】図３Ａは、図２のラベルの下シールを拡大して示す要部平面図であり、図３Ｂは、図２のラベルの上シールを拡大して示す要部平面図である。
【図４】図４Ａは、図１の収納容器の一使用例を説明する第１斜視図であり、図４Ｂは、図１の収納容器の一使用例を説明する第２斜視図である。
【図５】図５Ａは、図１の収納容器の一使用例を説明する第３斜視図であり、図５Ｂは、図１の収納容器の一使用例を説明する第４斜視図である。
【図６】図６Ａは、変形例に係るラベルを拡大して示す要部平面図であり、図６Ｂは、図６Ａのラベルを使用した場合の一使用例を説明する第１平面図であり、図６Ｃは、図６Ｂのラベルを使用した場合の一使用例を説明する第２平面図である。
【発明を実施するための形態】
【００２９】
以下、本発明に係る収納容器について、この収納容器の使用方法との関係で好適な実施の形態を挙げ、添付の図面を参照して詳細に説明する。
【００３０】
本実施の形態に係る収納容器は、医療用途に用いられ、医療機器を密閉可能な容器として構成される。これにより、医療機器の使用前には、該医療機器の無菌性が維持され、医療機器の使用後には、廃棄される医療機器が収納されることで安全性や衛生性が保たれる。収納容器に収納される医療機器は、特に限定されるものではないが、例えば、生体に穿刺される針（注射針、留置針等）や体内挿入用のコネクタ（トラカール等）が挙げられる。従って、収納容器の形状は、収納される医療機器に応じて適切な形状に形成されればよい。以下、本実施の形態の説明では、輸液ラインの構築時に患者に穿刺される針（留置針）の収納容器について詳述していく。
【００３１】
図１は、本発明の実施の形態に係る収納容器１０の全体構成を示す斜視図であり、図２は、図１の収納容器１０の分解斜視図である。図１に示すように、収納容器１０は、軸方向に延在する細長状の筒体として形成されている。収納容器１０は、針１２（図２参照）の先端部を収納可能な容器本体１４（第１収納部材）と、この容器本体１４に着脱自在なキャップ１６（第２収納部材）とからなり、略中間部において分離可能に構成される。この収納容器１０の内部には、軸方向に延在する内部空間１８（図２参照）が形成されており、この内部空間１８に針１２が収納される。
【００３２】
また、容器本体１４とキャップ１６の接続状態では、その接続部分（境界部２０）にラベル２２が貼り付けられる。このラベル２２は、収納される収納物（針１２）の内容をユーザに識別させるとともに、容器本体１４とキャップ１６の接続状態（密閉性）を維持する機能を有する。ラベル２２は、収納容器１０の側面を一周するように貼り付けられることで、収納容器１０の密閉性をより高めることができる。
【００３３】
図２に示すように、容器本体１４は、先端側に底部を有する有底筒状の部材であり、キャップ１６が装着される基端側に対し、先端側が先細りに延在している。容器本体１４の内部には、内部空間１８の一部を構成する本体側空洞部１８ａが形成されている。本体側空洞部１８ａの基端側は、先端側に比べて大きな内径に形成されている。このため、容器本体１４は、基端側から本体側空洞部１８ａに針１２を容易に収納させることができ、使用済みの針１２がユーザに穿刺される危険性を低減することができる。
【００３４】
容器本体１４の基端側には、キャップ１６の外径に略一致する外径を有する本体側貼付面２４が形成されている。本体側貼付面２４は滑らかな外周面に形成され、容器本体１４とキャップ１６の接続状態でラベル２２が貼り付けられる。さらに、本体側貼付面２４よりも基端側には、キャップ１６内に挿入される挿入部２６が連設されている。
【００３５】
キャップ１６は、基端側に底部を有する有底筒状の部材であり、針１２の基端側が収納される。キャップ１６の先端側には、本体側貼付面２４に略一致する外周面（外径）で、滑らかな周面からなるキャップ側貼付面２８が形成されている。キャップ１６の内部は、内部空間１８の一部を構成するキャップ側空洞部１８ｂとなっており、その先端側の内壁は、所定の摩擦力で挿入部２６の外周面が密接される内径に形成されている。また、キャップ側貼付面２８の基端側外周面には、ユーザがキャップ１６を把持し易いように浅い溝部１６ａが形成されている。
【００３６】
収納容器１０（容器本体１４及びキャップ１６）を構成する材料は、特に限定されるものではないが、例えば、ナイロン、ポリアクリルアミド、ポリカーボネート、ポリエチレン、ポリホルムアルデヒド、ポリメチルメタクリレート、ポリプロピレン、ポリテトラフルオロエチレン、ポリトリフルオロクロロエチレン、ポリビニルクロリド、ポリウレタン、ポリエーテルブロックアミド、エラストマー有機ケイ素ポリマー等のポリマー材料やその他の樹脂材料、或いは金属材料（例えば、ステンレス鋼及びニチノール）を適用することができる。なお、容器本体１４とキャップ１６は、同じ材料で構成されてもよく、剛性等が異なるように別の材料で構成されてもよい。
【００３７】
容器本体１４とキャップ１６の接続状態では、本体側貼付面２４とキャップ側貼付面２８に渡ってラベル２２が貼り付けられる（図１参照）。すなわち、ラベル２２は、容器本体１４とキャップ１６の接続により形成される境界部２０を跨いで貼り付けられ、容器本体１４とキャップ１６を強固に密封している。
【００３８】
図３Ａは、図２のラベル２２の下層シール３０を拡大して示す要部平面図であり、図３Ｂは、図２のラベル２２の上層シール３２を拡大して示す要部平面図である。ラベル２２は、図２〜図３Ｂに示すように、収納容器１０に直接貼り付けられる下層シール３０（第１シール部材）と、この下層シール３０の表面に貼り付けられる上層シール３２（第２シール部材）とを含み、下層シール３０と上層シール３２を重ね合わせた積層シートとして構成される。この場合、下層シール３０は、容器本体１４とキャップ１６の接続状態に依らず両部材に常に貼り付けられ、上層シール３２は、容器本体１４とキャップ１６との分離時に、その一部が剥がされるように構成されている。
【００３９】
下層シール３０は、四隅が丸角からなる略長方形状に形成されており、裏面３０ｂ全面に接着剤が塗布されている。この接着剤としては、例えば、合成系接着剤や天然系接着剤等のうち所定の粘着力を有するもの、或いは所定の粘着力を有するように複数の接着剤を混合したものが適宜選択されるとよい。下層シール３０は、その長手方向が収納容器１０外面の周方向に沿って貼り付けられる。
【００４０】
下層シール３０の表面３０ａには、上層シール３２の表面３２ａの背景色と異なる背景色が印刷されている。例えば、上層シール３２の背景色が白色の場合、下層シール３０の背景色を赤色とすることが好ましい。赤色は、一般的に危険性を示す色として認知されているため、取扱い時にユーザに注意を喚起させることができる。また、下層シール３０の表面には、該下層シール３０の背景色（赤色）と異なる色（例えば、白色）で、収納容器１０が開封されたこと、すなわち容器本体１４とキャップ１６が分離されたことを表示する「開封済み」の文字が印字されている（以下、この「開封済み」の表記部分を印字部３４ともいう）。これにより、収納容器１０の開封状態をユーザに容易に認識させることができる。なお、印字部３４の記載内容は、特に限定されないことは勿論である。例えば「使用済み」等のように容器本体１４とキャップ１６が分離されたことを暗示する表現でもよく、文字に限らず記号や画像（模様を含む）等であってもよい。
【００４１】
印字部３４は、下層シール３０の大きさや記載内容（文字数等）にもよるが、ユーザが一見して判別可能な大きさ（例えば、１文字の記載範囲が５×５ｍｍ以上）で印刷されることが好ましい。印字部３４の印刷位置は、略長方形状からなる表面３０ａの上下中央部となっている。
【００４２】
さらに、下層シール３０の上下中央部から下辺の間には、複数の切り込み３６により構成される傾斜ミシン目３８（第１シール部材側ミシン目）が設けられている。この場合、切り込み３６は、下層シール３０の長手方向（すなわち、境界部２０の延在方向）に対して傾斜して切り込まれている。傾斜ミシン目３８は、図３Ａ中に示すように、短手方向に沿って４列形成されている。奇数列（第１列及び第３列）の傾斜ミシン目３８ａ、３８ｃと偶数列（第２列及び第４列）の傾斜ミシン目３８ｂ、３８ｄは、切り込み３６の一端（左端）同士が近接し、他端（右端）同士が離間するように傾斜している。
【００４３】
第１列〜第４列の傾斜ミシン目３８ａ〜３８ｄは、容器本体１４とキャップ１６の分離時に、その中間部４０で下層シール３０が破断されるように作用する。すなわち、容器本体１４に対しキャップ１６を相対的に回転させると、奇数列の各傾斜ミシン目３８ａ、３８ｃと偶数列の各傾斜ミシン目３８ｂ、３８ｄの近接し合っている一端同士が引き離されるように離間して、その中間部４０（分離部）が破断される。これにより、中間部４０を縫うように破断箇所が連続的に形成されていく。
【００４４】
従って、下層シール３０を収納容器１０に貼り付ける場合は、奇数列の傾斜ミシン目３８ａ、３８ｃと偶数列の傾斜ミシン目３８ｂ、３８ｄの中間部４０が、容器本体１４とキャップ１６の境界部２０に重なるように貼り付けられることが好ましい。これにより境界部２０が分離すると、中間部４０がスムーズに破断される。本実施の形態では、第３列の傾斜ミシン目３８ｃと第４列の傾斜ミシン目３８ｄの中間部４０が境界部２０に重なるように配置されている。
【００４５】
一方、下層シール３０の表面３０ａに貼り付けられる上層シール３２は、下層シール３０と同様に、四隅が丸角からなる略長方形状に形成され、下層シール３０よりも若干大きな平面面積を有するように形成されている。従って、下層シール３０と上層シール３２を重ね合わせた状態では、上層シール３２により下層シール３０の表面３０ａの略全面が被覆される。なお、上層シール３２と下層シール３０のサイズの関係性は、特に限定されるものではなく、上層シール３２が下層シール３０より小さく形成され、下層シール３０を部分的に覆う構成としてもよいことは勿論である。
【００４６】
上層シール３２の表面には、収納容器１０に収納する収納物（針１２）を認識可能な表示情報（文字や記号、画像等）が印刷されている。この表示情報の色は、上層シール３２の背景色は勿論のこと、下層シール３０の背景色及び印字部３４（文字）の色と異なる色で記載されることが好ましい。例えば、上層シール３２の背景色が白色、下層シール３０の背景色が赤色、印字部３４の色が白色の場合、表示情報は緑色や青色で記載されるとよい。これにより、上層シール３２と下層シール３０の表示を一層差別化することができる。
【００４７】
上層シール３２は、上下中央部において長手方向に延在する剥離部４２と、剥離部４２の両端（上端及び下端）側で長手方向に延在する一対の貼付部４４（上側貼付部４４ａ、下側貼付部４４ｂ）とを有する。剥離部４２は、下層シール３０及び貼付部４４に対し剥離可能に構成される。具体的には、剥離部４２は、ユーザが把持し易いように短手方向（上下方向）の幅が比較的広めに形成されている。また、剥離部４２の裏面側は接着剤が塗布されていない箇所となっている。従って、剥離部４２は、上層シール３２と下層シール３０を重ねても、下層シール３０に貼り付けられない状態（未貼付状態）で、該下層シール３０の表面に配置される。剥離部４２の一端（左端）側角部は、貼付部４４が連結されていない湾曲状に形成され、めくり易くなっており、さらに、剥離部４２の左端表面には、把持を案内するマーキング４６が印刷されている。
【００４８】
一対の貼付部４４（上側貼付部４４ａ、下側貼付部４４ｂ）は、短手方向（上下方向）の幅が剥離部４２よりも狭く形成され、この剥離部４２を上下中央部に挟むように延在している。貼付部４４の裏面側には、所定の粘着力を有する接着剤が塗布されている。上層シール３２は、上側貼付部４４ａ及び下側貼付部４４ｂが下層シール３０（又は収納容器１０）の表面３０ａに貼り付けられることで、剥離部４２も一体的に下層シール３０の表面３０ａに密接される。
【００４９】
剥離部４２と貼付部４４の連設部分（境界部分４９）には、長手方向に沿って直線的に切り込まれた複数の切り込み４８により構成される直線状ミシン目５０（第２シール部材側ミシン目）が設けられる。本実施の形態では、剥離部４２が上側貼付部４４ａと下側貼付部４４ｂに挟まれているので、短手方向に２列（一対）の直線状ミシン目５０が形成されている。剥離部４２は、２列の直線状ミシン目５０に沿って剥がされることで、貼付部４４から分離されることになる。なお、下層シール３０及び上層シール３２に形成されるミシン目の切り込み３６、４８の形状は、傾斜状や直線状等に限定されず種々の構成を取り得ることは勿論である。
【００５０】
図２に示すように、ラベル２２は、異なる表示からなる２つのシール部材（下層シール３０及び上層シール３２）が重ね合わされて、針１２が収納される収納容器１０に貼り付けられる。容器本体１４とキャップ１６の接続状態では、本体側貼付面２４及びキャップ側貼付面２８が連なる外周面が形成され、先ず下層シール３０が直接貼り付けられる。この場合、下層シール３０の第３列の傾斜ミシン目３８ｃと第４列の傾斜ミシン目３８ｄの中間部４０が境界部２０に重なるように、本体側貼付面２４及びキャップ側貼付面２８に貼り付けられる。さらに、上層シール３２は、下層シール３０の印字部３４及び傾斜ミシン目３８（識別部５２）が剥離部４２に重なるように、下層シール３０の表面３０ａに貼り付けられる。これにより、ラベル２２は、剥離部４２の取付状態によって収納容器１０の外周面に露出される表示状態が変更される。よって、収納容器１０に収納される針１２の使用状態を、ユーザに適宜認識させることができる。
【００５１】
本実施の形態に係る収納容器１０は、基本的には以上のように構成されるものであり、以下、その作用及び効果について収納容器１０の使用方法との関係で説明する。図４Ａは、図１の収納容器１０の一使用例を説明する第１斜視図であり、図４Ｂは、図１の収納容器１０の一使用例を説明する第２斜視図であり、図５Ａは、図１の収納容器１０の一使用例を説明する第３斜視図であり、図５Ｂは、図１の収納容器１０の一使用例を説明する第４斜視図である。
【００５２】
収納容器１０の使用においては、図４Ａ及び図４Ｂに示すように、先ず上層シール３２の剥離部４２を下層シール３０から剥がす作業が行われる（剥離ステップ）。ユーザは、上層シール３２（剥離部４２）の左端に印刷されているマーキング４６を確認して指で把持し、剥離部４２を下層シール３０から離間させるように（或いは右端方向に）引いていく。これにより、剥離部４２が一対の直線状ミシン目５０に沿って貼付部４４から剥がれていく。
【００５３】
その結果、図４Ｂに示すように、剥離部４２が下層シール３０及び貼付部４４から分離され、剥離部４２の剥離部分には下層シール３０の識別部５２が露出される。この識別部５２には、下層シール３０の表面３０ａの背景色、印字部３４及び傾斜ミシン目３８が含まれる。
【００５４】
次に、図５Ａに示すように、下層シール３０を貼り付けたまま容器本体１４とキャップ１６を分離する作業が行われる（分離ステップ）。この場合、容器本体１４とキャップ１６を相対的に回転させる。これにより、境界部２０の近傍位置にある第３列の傾斜ミシン目３８ｃと第４列の傾斜ミシン目３８ｄの中間部４０が破断して、キャップ１６側に追従するキャップ側下層シール５４と、容器本体１４側に追従する本体側下層シール５６とに分離される。また、中間部４０の破断箇所には、傾斜ミシン目３８によりジグザグ状の破断形状が形成される。
【００５５】
下層シール３０の破断後、容器本体１４からキャップ１６を軸方向に引き抜いて離脱させ、内部に収納されている針１２を取り出す。この針１２は、輸液ラインの構築に使用される。すなわち、輸液チューブ先端のカテーテル（図示せず）と針１２を共に体内に挿入した後、カテーテルを体内に残して針１２を抜去することで輸液が行われる。抜去された針１２は、感染等を防ぐために廃棄されるが、この際、安全性や衛生性のために収納容器１０に再収納される。
【００５６】
再収納においては、針１２の先端側を容器本体１４の本体側空洞部１８ａに挿入した状態で、キャップ１６を挿入部２６に嵌め込む。これにより、図５Ｂに示すように、容器本体１４とキャップ１６が接続（外嵌）された状態となり、破断箇所（中間部４０）が形成された識別部５２が露出される。すなわち、ユーザが収納容器１０を視認した場合は、下層シール３０の背景色、印字部３４及び破断箇所からなる識別部５２を視認することになり、収納容器１０が開封されたことを簡単に判別することができる。
【００５７】
なお、本発明に係る収納容器１０は、上述した構成に限定されないことは勿論であり、種々の変形例又は応用例を取り得る。以下、収納容器１０の変形例について幾つか説明する。
【００５８】
例えば、剥離部４２は、一端（左端）側から剥されるだけでなく、両端側のいずれからも剥離可能とすることができる。勿論、これに応じてマーキング４６も剥離部４２の両端に印刷するとよい。
【００５９】
また、本実施の形態に係る収納容器１０では、上層シール３２の剥離部４２のみを剥がして識別部５２を露出させる構成としていたが、下層シール３０に対し上層シール３２を所定の粘着力（剥がれやすい粘着力）で貼り付けることで、上層シール３２を全て剥がす構成としてもよい。
【００６０】
さらに、収納容器１０の他の変形例として、剥離部４２の裏面に比較的弱い粘着力を有する接着剤が塗布されていてもよい。このように剥離部４２の裏面が粘着性を具備することで、収納容器１０を開封する必要がない状況で剥離部４２を剥がした場合でも、剥離部４２を識別部５２に再び貼り付けることが可能となる。従って、剥がした剥離部４２で識別部５２を覆うことにより、収納容器１０が未開封であることを表示させることができる。
【００６１】
またさらに、収納容器１０は、挿入部２６の外周面に雄ネジ（図示せず）を形成し、キャップ側空洞部１８ｂの内壁に雌ネジ（図示せず）を形成することで、容器本体１４とキャップ１６を螺合させてもよい。容器本体１４とキャップ１６を螺合により接続することで、その分離時には、確実に容器本体１４とキャップ１６を相対的に回転させることになり、下層シール３０の中間部４０の破断を促すことができる。
【００６２】
図６Ａは、変形例に係るラベル２２Ａを拡大して示す要部平面図であり、図６Ｂは、図６Ａのラベル２２Ａを使用した場合の一使用例を説明する第１平面図であり、図６Ｃは、図６Ｂのラベル２２Ａを使用した場合の一使用例を説明する第２平面図である。なお、以下の説明において本実施の形態に係る収納容器１０の構成と同一の構成又は同一の機能を有する構成については同一の符号を付し、その詳細な説明については省略する。また、図６Ａ〜図６Ｃにおいては、変形例の主要な構成であるラベル２２Ａ以外の図示を省略する。
【００６３】
変形例に係るラベル２２Ａ（上層シール３３）は、剥離部４２と一対の貼付部４４（上側貼付部４４ａ、下側貼付部４４ｂ）によって構成される一対の境界部分４９に、上述した直線状ミシン目５０と、直線状ミシン目５０の内部に切り込み４８よりも長く切り込まれた切れ目６０とを有する。一対の切れ目６０は、互いに反対方向の側端（すなわち、左端と左端）に寄るように直線状に延設される。上層シール３３の側端と各切れ目６０の間には、僅かな長さ（例えば、切り込み４８が２、３個）の直線状ミシン目５０ａが残るよう構成されている。
【００６４】
このように境界部分４９に一対の切れ目６０を有することで、剥離部４２を剥がさずにキャップ１６と容器本体１４を分離させた場合でも、識別部５２を露出させることが可能となる。すなわち、収納容器１０の使用においては、ユーザが上述した使用方法を知らない又は使用方法を誤る等の理由で剥離部４２を剥がさずに、容器本体１４からキャップ１６を軸方向に引き抜いて分離させてしまう可能性がある。
【００６５】
変形例に係るラベル２２Ａは、容器本体１４からキャップ１６を引き抜いて分離させると、上層シール３３を構成する平面部分よりも連結力が弱い一対の境界部分４９のうちいずれか一方が分離され易い。例えば、剥離部４２が一方の貼付部４４（図６Ｂ中では上側貼付部４４ａ）に連なったまま、他方の貼付部４４（下側貼付部４４ｂ）から分離される。この際、ラベル２２Ａの左端と切れ目６０の間に存在していた直線状ミシン目５０ａは、引き抜きの応力を受けて容易に破断する。従って、上層シール３３の上側の境界部分４９は、破断した直線状ミシン目５０ａと、これに連なる切れ目６０とにより左端から中央部分まで延在する破断箇所６０ａを形成する。
【００６６】
その結果、破断箇所６０ａと分離された下側の境界部分４９とによって、上層シール３３の左端側は、フリー（すなわち、下層シール３０に対し離間自在）になる。そして、ラベル２２Ａは円筒状の外周面（収納容器１０）に貼り付けられていることで、フリーとなった剥離部４２がまくれることになり、この剥離部４２のまくれにともない下層シール３０の識別部５２が露出される。
【００６７】
従って、変形例に係るラベル２２Ａは、剥離部４２を剥がさずに容器本体１４とキャップ１６が分離されても識別部５２が露出される。よって、収納容器１０の開封状態を容易に判別させることができる。
【００６８】
以上のように、本実施の形態に係る収納容器１０によれば、上層シール３２、３３を剥がした場合に、下層シール３０の剥離前の状態に対して識別可能な程度に異なる外観を呈することで、容器本体１４とキャップ１６を分離させ、その後、容器本体１４とキャップ１６を再接続しても、収納容器１０の外周面には識別部５２が露出される。このため、ユーザは、収納容器１０の開封状態を容易に判別でき、針１２の使用状態を短時間且つ正確に認識することができる。
【００６９】
この場合、下層シール３０に傾斜ミシン目３８が形成されていることで、容器本体１４とキャップ１６の分離時に、傾斜ミシン目３８（一対の傾斜ミシン目３８の場合は、その中間部４０）に沿ってラベル２２を破断させることができる。従って、識別部５２の露出に加えて、破断された中間部４０（破断箇所）により、収納容器１０の開封状態を容易に判別させることができる。また、破断箇所は、傾斜ミシン目３８に応じて斜めに切り込まれたジグザグ状に形成される。このため、破断箇所（中間部４０）の被視認性がより向上する。
【００７０】
さらに、貼付部４４に対し未貼付状態の剥離部４２を剥がす構成では、強い粘着力で貼付部４４を下層シール３０に貼り付けることができ、剥離部４２を剥がれ易くすることができる。また、例えば、収納容器１０にとって必要な情報を貼付部４４に記載することで、剥離部４２を剥がしても必要な情報を常に表示させることができる。
【００７１】
上記において、本発明について好適な実施の形態を挙げて説明したが、本発明は前記実施の形態に限定されるものではなく、本発明の要旨を逸脱しない範囲において、種々の改変が可能なことは言うまでもない。例えば、ラベル２２は、長方形状に限定されず種々の形状を採り得る。また、ラベル２２を構成するシールの枚数を３枚以上とすることもできる。
【符号の説明】
【００７２】
１０…収納容器                      １４…容器本体
１６…キャップ                      １８…内部空間
２０…境界部                        ２２、２２Ａ…ラベル
３０…下層シール                    ３２、３３…上層シール
３６、４８…切り込み                ３８、３８ａ〜３８ｄ…傾斜ミシン目
４０…中間部                        ４２…剥離部
４４…貼付部                        ４９…境界部分
５０…直線状ミシン目                ５２…識別部
６０…切れ目
【図１】
0006001888.tif 000002
【図２】
0006001888.tif 000003
【図３】
0006001888.tif 000004
【図４】
0006001888.tif 000005
【図５】
0006001888.tif 000006
【図６】
0006001888.tif 000007